(57)【特許請求の範囲】
【請求項１】
発光体を内蔵し、その発光体の光を外に導くレンズをケースに取り付けた電話機において、
前記ケースに設けられたレンズ収納用の孔と、前記ケースに固着されたＬＣＤ（液晶）パネルとを具備し、
固着された前記ＬＣＤパネルと前記ケースとの間で前記レンズの一部を挟持することにより、前記孔内での前記レンズの位置を固定し、且つ、前記レンズと前記ＬＣＤパネルとを直接接触させて、発光体の光の一部を前記レンズから前記ＬＣＤパネルに導き、前記発光体の発光に伴って前記レンズと前記ＬＣＤパネルとが共に光るようにしたことを特徴とする電話機。
【請求項２】
発光体を内蔵し、その発光体の光を外に導くレンズをケースに取り付けた電話機において、
前記ケースに設けられたレンズ収納用の孔と、前記レンズと一体成形されたＬＣＤパネルとを具備し、前記ＬＣＤパネルが前記ケースに固着されることにより、前記レンズが前記孔内に固定されることを特徴とする電話機。
【請求項３】
発光体を内蔵する電話機のケースに、発光体の光を外に導くためのレンズを取り付けるレンズ取り付け方法において、前記ケースに設けたレンズ収納用の孔にレンズを挿入し、前記ケースにＬＣＤパネルを固着して、前記ＬＣＤパネルと前記ケースとの間で前記レンズの一部を挟持することにより、前記孔内での前記レンズの位置を固定し、且つ、前記レンズとＬＣＤパネルとを直接接触させて、発光体の光の一部を前記レンズから前記ＬＣＤパネルに導き、前記発光体の発光に伴って前記レンズと前記ＬＣＤパネルとが共に光るようにすることを特徴とするレンズ取り付け方法。
【請求項４】
発光体を内蔵する電話機のケースに、発光体の光を外に導くためのレンズを取り付けるレンズ取り付け方法において、
前記レンズとＬＣＤパネルとを一体成形し、前記ＬＣＤパネルをケースに固着することによって、前記レンズをケースの所定位置に取り付けることを特徴とするレンズ取り付け方法。
【発明の詳細な説明】
【０００１】
【発明の属する技術分野】
本発明は、着信などを表示するための発光体を備えた電話機に関し、特に、その発光体のレンズの取り付けを容易にしたものである。
【０００２】
【従来の技術】
従来の携帯電話機などには、その内部に着信表示用の発光体（ＬＥＤ）が設けられており、着信時に、この発光体が点灯すると、その光がケースに取り付けられているレンズ（導光体）を通じて外部に放射され、使用者は着信を知ることができる。
【０００３】
図５には、従来の携帯電話機における、このレンズの取り付け構造を示している。図５（ａ）は分解斜視図であり、図５（ｂ）は断面図である。前ケース１には、レンズ２を組み込むための孔８が設けられており、この孔８にレンズ２が圧入される。また、これとは別に、前ケース１には、表示用ＬＣＤを嵌め込むための孔を持つＬＣＤパネル３が取り付けられる。このＬＣＤパネル３の裏面には両面接着テープ６が貼り付けられており、ＬＣＤパネル３は、このテープで前ケース１の凹部９に接着される。
【０００４】
また、回路基板５に実装されたＬＥＤ４は、組み立てられた状態でレンズ２の下に位置する。
【０００５】
このＬＥＤ４が着信時に点灯すると、その光がレンズ２を通じてケース１の外に放射されるため、レンズ２が光って見える。
【０００６】
【発明が解決しようとする課題】
しかし、従来のＬＥＤレンズの取り付け構造では、ＬＥＤレンズ２を前ケース１の孔８に圧入して組み込んでいるため、ＬＥＤレンズ２の外形寸法を高精度に調整、管理することが要求される。また、この圧入による組み込み作業は時間が掛かるため、生産効率が悪いという問題点がある。
【０００７】
また、ＬＥＤの発光が、小さい表面積のＬＥＤレンズを通してしか見えないため、ＬＥＤの発光を見落としてしまう場合がある。
【０００８】
本発明は、こうした従来の問題点を解決するものであり、ＬＥＤレンズの組み込みが容易であり、また、ＬＥＤの発光によってＬＥＤレンズだけでなくＬＣＤパネルも同時に光らせることができる電話機を提供し、また、そのレンズの組み込み方法を提供することを目的としている。
【０００９】
【課題を解決するための手段】
そこで、本発明では、レンズを電話機のケースの孔に組み込んだ後、ＬＣＤパネルをケースに固着し、このＬＣＤパネルとケースとの間でレンズの一部を挟持して、レンズを位置決めしている。
【００１０】
そのため、レンズの取り付けが容易になり、また、レンズの外形寸法に対する精度の要求が緩和される。
【００１１】
また、本発明では、ＬＣＤパネルをレンズに接触させて、レンズに到達した光を、その接触面から、ＬＣＤパネルに導いている。また、ＬＣＤパネルとレンズとを一体成形して、レンズに到達した光をＬＣＤパネルに導いている。
【００１２】
そのため、発光体の発光に伴って、ＬＣＤパネルとレンズとが一緒に光ることが可能となる。
【００１３】
【発明の実施の形態】
本発明の請求項１に記載の発明は、発光体を内蔵し、その発光体の光を外に導くレンズをケースに取り付けた電話機において、ケースに設けられたレンズ収納用の孔と、前記ケースに固着されたＬＣＤパネルとを具備し、固着された前記ＬＣＤパネルと前記ケースとの間で前記レンズの一部を挟持することにより、前記孔内での前記レンズの位置を固定し、且つ、前記レンズと前記ＬＣＤパネルとを直接接触させて、発光体の光の一部を前記レンズから前記ＬＣＤパネルに導き、前記発光体の発光に伴って前記レンズと前記ＬＣＤパネルとが共に光るようにしたものであり、電話機のケースにレンズを取り付ける際の作業性を高めることができ、また、レンズの外形寸法に要求される精度が緩和される。
【００１５】
また、発光体の発光に伴ってレンズとＬＣＤパネルとが共に光るように構成しているため、発光体の発光を見落とすことなく認識できる。
【００１６】
請求項２に記載の発明は、発光体を内蔵し、その発光体の光を外に導くレンズをケースに取り付けた電話機において、ケースにレンズ収納用の孔を設けるとともに、レンズと一体成形したＬＣＤパネルを設け、このＬＣＤパネルをケースに固着することにより、レンズを孔内に固定するようにしたものであり、発光体の光がレンズと一体成形されたＬＣＤパネルにも導かれるため、発光体の発光に伴ってレンズとＬＣＤパネルとが一体になって光る。また、レンズとＬＣＤパネルとの一体化によって部品点数が減少し、組み立て作業が効率化される。
【００１７】
請求項３に記載の発明は、発光体を内蔵する電話機のケースに、発光体の光を外に導くためのレンズを取り付けるレンズ取り付け方法において、ケースに設けたレンズ収納用の孔にレンズを挿入し、前記ケースにＬＣＤパネルを固着して、前記ＬＣＤパネルと前記ケースとの間で前記レンズの一部を挟持することにより、前記孔内での前記レンズの位置を固定し、且つ、前記レンズとＬＣＤパネルとを直接接触させて、発光体の光の一部を前記レンズから前記ＬＣＤパネルに導き、前記発光体の発光に伴って前記レンズと前記ＬＣＤパネルとが共に光るようにしたものであり、レンズをケースの孔に圧入する方法に比べて、効率的に取り付けることができ、また、レンズの外形寸法に対する精度の要求が緩和される。
【００１８】
また、発光体の光の一部をレンズからＬＣＤパネルに導くようにしているため、発光体の発光に伴って、レンズとＬＣＤパネルとを一緒に光らせることができる。
【００１９】
請求項４に記載の発明は、レンズとＬＣＤパネルとを一体成形し、ＬＣＤパネルをケースに接着固定することによって、レンズをケースの所定位置に取り付けるようにしたものであり、取り付け工数を減らすことができ、また、レンズとＬＣＤパネルとを一体的に光らせることができる。
【００２０】
以下、本発明の実施の形態について、図面を用いて説明する。
【００２１】
（第１の実施形態）
第１の実施形態の電話機は、図１（ａ）（ｂ）に示すように、前ケース11に、ＬＣＤパネル13が嵌め込まれる凹部19と、この凹部19に一部が臨むように形成された、ＬＥＤレンズ12を組み込むための孔18とを備えている。ＬＥＤレンズ12は、傘形の断面形状を有する片で構成され、孔18に組み込まれた状態で傘の柄の先端に相当する部分が前ケース11から露出し、また、傘の頂部に相当する部分が回路基板15に実装されたＬＥＤ14に対向する。ＬＥＤレンズ12の傘の両側にはリブ12ａ、12ｂ（図２（ａ）参照）が設けられており、前ケース11には、孔18に連なって、その一方のリブ12ａを受け入れる窪み20が設けられ、また、凹部19に臨む孔18の部分には、他方のリブ12ｂを支える取付部17が設けられている。
【００２２】
また、ＬＣＤパネル13の裏面には両面接着テープ16が貼り付けられており、このテープ16でＬＣＤパネル13を前ケース11の凹部19に接着すると、凹部19に臨む孔18の部分は、ＬＣＤパネル13で蓋され、取付部17に支えられたＬＥＤレンズ12のリブ12ｂが、この取付部17とＬＣＤパネル13との間で挟持される。
【００２３】
図２（ａ）（ｂ）は、ＬＥＤレンズ12を前ケース11の孔18に取り付ける手順を示している。ＬＥＤレンズ12を前ケース11の上方から孔18に挿入し、矢印で示すように、ＬＥＤレンズ12のリブ12ａを前ケース11の窪み20に嵌め込むように横方向に動かす。この状態において、ＬＥＤレンズ12の一方のリブ12ａは窪み20に嵌まり、他方のリブ12ｂは取付部17上に載置され、ＬＥＤレンズ12は、図２（ｂ）の位置を占める。
【００２４】
次に、図２（ｂ）の矢印で示すように、ＬＣＤパネル13を前ケース11の凹部19に嵌め、両面接着テープ16で接着する。この接着によって図１（ｂ）の状態になり、ＬＣＤパネル13は、ＬＥＤレンズ12のリブ12ｂ及びそれに連なる傘の裏側部分にも接着し、これらの箇所を抑え込む。また、ＬＣＤパネル13の端部13ａがＬＥＤレンズ12の柄の部分に当接して、この柄の部分を前ケース11と共働して挟持する。
【００２５】
そのため、ＬＥＤレンズ12は、上下方向及び左右方向に位置決めされ、その状態で保持される。
【００２６】
このように、この電話機では、前ケース11にＬＥＤレンズ12を、圧入すること無く、組み込んでいるため、作業性が向上する。また、ＬＥＤレンズ12の外形寸法に対する精度の要求が、圧入の場合に比べて緩和される。
【００２７】
（第２の実施形態）
第２の実施形態の電話機では、ＬＥＤの発光によってＬＥＤレンズだけでなくＬＣＤパネルが同時に光る。
【００２８】
この電話機では、図３に示すように、ＬＣＤパネル13を前ケース11に接着する両面接着テープ16が、ＬＣＤパネル13の凹部19底面に接する部分にだけ設けられている。そのため、ＬＥＤレンズ12を孔18に挿入し、ＬＣＤパネル13をケースに接着して、ＬＥＤレンズ12を前ケース11に組み込んだとき、ＬＥＤレンズ12のリブ12ｂとそれに連なる傘の部分とはＬＣＤパネル13に直接接触する。また、ＬＣＤパネル13は、光を通す透明のプラスチック部材で形成されている。その他の構成は第１の実施形態と変わりがない。
【００２９】
この電話機において、ＬＥＤレンズ12を前ケース11に組み込む場合には、図２（ａ）（ｂ）と同じ手順で行なわれる。このとき、ＬＣＤパネル13を前ケース11の凹部19に両面接着テープ16で接着すると、図３に示すように、ＬＥＤレンズ12のリブ12ｂは、ＬＣＤパネル13と取付部17との間で挟持され、その結果、ＬＥＤレンズ12の上下方向の位置が決まる。また、水平方向は、第１の実施形態と同様、ＬＣＤパネル13の端部13ａがＬＥＤレンズ12の柄の部分に当接し、この柄の部分を前ケース11と共働して挟持し、位置を決める。
【００３０】
こうして、上下方向及び左右方向に位置決めされたＬＥＤレンズ12は、その状態で保持される。
【００３１】
この電話機では、ＬＣＤパネル13とＬＥＤレンズ12との接触面に両面接着テープのような遮光部材が無いので、ＬＥＤ14で発光した光が、ＬＥＤレンズ12を介してＬＣＤパネル13にも導かれる。そのため、ＬＥＤレンズ12だけでなく、ＬＣＤパネル13も光ることになる。
【００３２】
（第３の実施形態）
第３の実施形態の電話機では、ＬＥＤレンズとＬＣＤパネルとを一体成形している。
【００３３】
この電話機では、図４（ａ）（ｂ）に示すように、ＬＣＤパネル13の先端にＬＥＤレンズに相当する導光部13ｂが一体成形されており、また、前ケース11には、ＬＣＤパネル13を嵌め込む凹部19と、導光部13ｂを嵌め込む孔18とが設けられている。この孔18の位置は、回路基板15に実装されたＬＥＤ14の位置に対応している。
【００３４】
このＬＣＤパネル13を前ケース11に組み込む場合には、図４（ａ）に示すように、ＬＣＤパネル13を前ケース11の凹部19に嵌め（矢印Ｄ１）、同時にＬＣＤパネル13の導光部13ｂを孔18に挿入する（矢印Ｄ２）。最終的には、ＬＣＤパネル13裏面の両面接着テープ16でＬＣＤパネル13を前ケース11の凹部19に接着する。それにより、ＬＣＤパネル13と一体成形された導光部13ｂは、前ケース11の孔18に固定される。
【００３５】
この電話機では、ＬＥＤ14で発光した光が、ＬＥＤ14に対向する導光部13ｂに伝わり、導光部13ｂと一体のＬＣＤパネル13に伝わる。そのため、着呼時にＬＥＤ14が点灯すると、導光部13ｂとＬＣＤパネル13とが一体になって光ることになる。
【００３６】
なお、ＬＣＤレンズ12や導光部13ｂの形状は、図示したものに限らない。また、各実施形態では、前ケース11にＬＣＤパネル13が嵌まる凹部19を設けた構造について説明したが、この凹部は無くてもよい。
【００３７】
また、ＬＣＤパネルは、両面接着テープ以外の手段を用いて前ケースに固着するようにしてもよい。
【００３８】
【発明の効果】
以上の説明から明らかなように、本発明の電話機では、ケースへのレンズの取り付けが容易であり、また、レンズの外形寸法に対する厳格な調整、管理を必要としない。
【００３９】
また、発光体の発光に伴ってレンズとＬＣＤパネルとを光らせることができ、着信の表示の見落しが無くなる。
【００４０】
また、本発明のレンズ取り付け方法では、レンズをケースの孔に圧入する方法に比べて、作業時間を短縮することができ、生産効率を高めることができる。
【００４１】
また、取り付けたレンズとＬＣＤパネルとを一緒に光らせることができる。
【図面の簡単な説明】
【図１】本発明の第１の実施形態における電話機の斜視図（ａ）と断面図（ｂ）、
【図２】第１の実施形態の電話機でのＬＥＤレンズの取り付け手順を示す図、
【図３】本発明の第２の実施形態における電話機の断面図、
【図４】本発明の第３の実施形態における電話機の斜視図（ａ）と断面図（ｂ）、
【図５】従来の電話機の斜視図（ａ）と断面図（ｂ）である。
【符号の説明】
１、11  前ケース
２、12  ＬＥＤレンズ
12ａ、12ｂ  リブ
３、13  ＬＣＤパネル
13ａ  端面
13ｂ  導光部
４、14  ＬＥＤ
５、15  回路基板
６、16  両面接着テープ
17  取付部
18  レンズ取付用孔
19  凹部
20  窪み
【図１】
0004222656.tif 000002
【図２】
0004222656.tif 000003
【図３】
0004222656.tif 000004
【図４】
0004222656.tif 000005
【図５】
0004222656.tif 000006